(57)【要約】    【課題】  本発明の課題は、簡単な構造で、押し釦スィッチのキートップの面積が広い場合にもキートップを均一に光らせることが可能な電子機器及び電子機器の押し釦スィッチの照光構造を提供することにある。    【解決手段】  本発明に関わる電子機器の押し釦スィッチの照光構造は、押し釦スィッチ６の外部に露出するキートップ６ａを内部の光源Ｌ1によって照光する電子機器１の押し釦スィッチ６の照光構造であって、光源Ｌ1は、キートップ６ａの下方に配置されるとともに、該キートップ上面６ａ1が延在する方向に沿って光を照射することを特徴としている。    【選択図】  図４
2007103084.tif 000002
【特許請求の範囲】
【請求項１】
押し釦スィッチの外部に露出するキートップを内部の光源によって照光する電子機器の押し釦スィッチの照光構造であって、
前記光源は、前記キートップの下方に配置されるとともに、該キートップ上面が延在する方向に沿って光を照射する
ことを特徴とする電子機器の押し釦スィッチの照光構造。
【請求項２】
前記キートップの上面と前記光源間に、前記光の照射方向に沿う方向であるとともに前記光源が照射する光に対向して、前記光源近くを濃として該光源から遠ざかるに従い次第に淡となるグラデーションの遮光用印刷を施した
ことを特徴とする請求項１に記載の電子機器の押し釦スィッチの照光構造。
【請求項３】
押し釦スィッチの外部に露出するキートップを内部の光源によって照光する電子機器であって、
前記光源は、前記キートップの下方に配置されるとともに、該キートップ上面が延在する方向に沿って光を照射する
ことを特徴とする電子機器。
【請求項４】
前記キートップの上面と前記光源間に、前記光の照射方向に沿う方向であるとともに前記光源が照射する光に対向して、前記光源近くを濃として該光源から遠ざかるに従い次第に淡となるグラデーションの遮光用印刷を施した
ことを特徴とする請求項３に記載の電子機器。
【発明の詳細な説明】
【技術分野】
【０００１】
本発明は、携帯電話機等の電子機器において内部から押し釦スィッチを照射し、利用者が暗がりにおいても押し釦スィッチを明瞭かつ顕著に視認することができる電子機器及び電子機器の押し釦スィッチの照光構造に関する。
【背景技術】
【０００２】
図５に示すように、携帯電話機１００は、内部に制御部(図示せず)が収納される本体１０１と、該本体１０１に開閉自在にヒンジ結合される蓋体１０２とを備えている。
【０００３】
本体１０１には、その上面を覆うキー用ケース１０９が配設され、携帯電話機１００を操作するための複数のテンキーのキートップ１０３、多機能キーのキートップ１０４、および決定キーのキートップ１０５等を外側に露出している。
【０００４】
ここで、テンキーのキートップ１０３、多機能キーのキートップ１０４、および決定キーのキートップ１０５は、暗がりにおいても操作に支障が生じることなく利用者に明瞭に視認されるように、キー用ケース１０９内の発光ダイオード (後述)により内部から照射
されている。
【０００５】
図６は、携帯電話機１００の本体１０１においてキー用ケース１０９を外した状態の多機能キーのキートップ１０４、決定キーのキートップ１０５廻りの内部構造を示す上面図である。
【０００６】
図７は、図６のＡ−Ａ線断面図であり、図８は、図７のＢ部拡大図である。
【０００７】
多機能キーは、図７に示すキートップ１０４への上方からの異なる箇所への押圧動作によって、対応したそれぞれの機能のオン・オフを行うシーソーキーであり、図７、図８に示すように、多機能キーのキートップ１０４および決定キーのキートップ１０５は、光透過性のゴム材で成形されるゴムベース１０７に貼り付けられている。
【０００８】
また、図６に示すように、キートップ１０４、１０５が貼り付けられたゴムベース１０７の裏側に配設された配線基板１０６上には、光源である発光ダイオードＬ2、Ｌ2、Ｌ2
、Ｌ2が４箇所に実装されている。
【０００９】
各発光ダイオードＬ2は、本体１０１の上方に向けて光を照射する上照射タイプ(図８中の矢印α方向に向けて光を照射)のものであり、図８に示すように、発光ダイオードＬ2の光の照射方向(矢印α方向)にはゴムベース１０７およびキー用ケース１０９が配置されている。
【００１０】
この構成により、発光ダイオードＬ2から上方向(図８中の矢印α方向)に照射された光
は、ゴムベース１０７、キー用ケース１０９および配線基板１０６等によって乱反射され、多機能キーのキートップ１０４および決定キーのキートップ１０５を透過して携帯電話機１００外側に到達し、多機能キーのキートップ１０４および決定キーのキートップ１０５を光らせている。
【００１１】
同様に、複数のテンキーのキートップ１０３においても、上照射タイプの発光ダイオード(図示せず)が、図５に示すキー用ケース桟部１０９ｓの下方の配線基板１０６上に実装されている。  この発光ダイオードから上方向に照射された光は、ゴムベース１０７、キー用ケース１０９および配線基板１０６等によって乱反射され、キートップ１０３を透過して携帯電話機１００外側に到達し、テンキーのキートップ１０３を光らせている。
【００１２】
なお、出願人が出願時に把握している本願に係る文献公知発明は特に無い。
【発明の開示】
【発明が解決しようとする課題】
【００１３】
ところで、図５に示すように、多機能キーのキートップ１０４および決定キーのキートップ１０５は、側方に延在する面積が小さいため、これらキートップ１０４、１０５の照射用光源である発光ダイオードＬ2をキー用ケース１０９の下方に配設しても、照射光
の乱反射により、キートップ１０４、１０５全体を均一に光らせることができる。
【００１４】
ところが、キートップ１０４、１０５の側方に延在する面積が大きくなった場合には、上照射の光源をキー用ケース１０９下方に配設すると、光源から発した光は、キートップ１０４、１０５中央部まで届かず中央部が暗くなり、キートップ１０４、１０５上面全体を均一に光らせることができない。
【００１５】
そこで、この上照射の光源を多機能キーのキートップ１０４の下方に配置した場合には、キートップ１０４の一部に局所的に強く光る箇所、所謂ホット・スポットが発生し、キートップ１０４、１０５上面を均一に光らせることができないという問題を生じる。
【００１６】
本発明は上記実状に鑑み、簡単な構造で、押し釦スィッチのキートップの面積が広い場合にもキートップを均一に光らせることが可能な電子機器及び電子機器の押し釦スィッチの照光構造の提供を目的とする。
【課題を解決するための手段】
【００１７】
上記目的を達成するべく、本発明の請求項１に関わる電子機器の押し釦スィッチの照光構造は、押し釦スィッチの外部に露出するキートップを内部の光源によって照光する電子機器の押し釦スィッチの照光構造であって、前記光源は、前記キートップの下方に配置されるとともに、該キートップ上面が延在する方向に沿って光を照射することを特徴としている。
【００１８】
本発明の請求項２に関わる電子機器の押し釦スィッチの照光構造は、請求項１に記載の電子機器の押し釦スィッチの照光構造において、前記キートップの上面と前記光源間に、前記光の照射方向に沿う方向であるとともに前記光源が照射する光に対向して、前記光源近くを濃として該光源から遠ざかるに従い次第に淡となるグラデーションの遮光用印刷を施したことを特徴としている。
【００１９】
本発明の請求項３に関わる電子機器は、押し釦スィッチの外部に露出するキートップを内部の光源によって照光する電子機器であって、前記光源は、前記キートップの下方に配置されるとともに、該キートップ上面が延在する方向に沿って光を照射することを特徴としている。
【００２０】
本発明の請求項４に関わる電子機器は、請求項３に記載の電子機器において、前記キートップの上面と前記光源間に、前記光の照射方向に沿う方向であるとともに前記光源が照射する光に対向して、前記光源近くを濃として該光源から遠ざかるに従い次第に淡となるグラデーションの遮光用印刷を施したことを特徴としている。
【発明の効果】
【００２１】
以上、詳述した如く、本発明の請求項１または請求項３の発明によれば、光源は、キートップの下方に配置されるとともに、該キートップ上面が延在する方向に沿って光を照射するので、キートップ上面の広い領域を光らせることができる。
【００２２】
本発明の請求項２または請求項４の発明によれば、キートップの上面と光源間に、光の照射方向に沿う方向であるとともに光源が照射する光に対向して、光源近くを濃として該光源から遠ざかるに従い次第に淡となるグラデーションの遮光用印刷を施したので、キートップの上面を局所的に光らせることなく均一に光らせることが可能である。
【発明を実施するための最良の形態】
【００２３】
以下、本発明の実施形態について添付図面を参照して説明する。
【００２４】
図１に示すように、本発明を適用した携帯電話機１は、制御部等が収容される本体２に、文字、画像等の各種情報を表示する液晶表示部(表示部)３ａ1を有する蓋体３が、ヒン
ジ部４により開閉自在に連結されている。
【００２５】
携帯電話機１の本体２は、その全体がポリカーボネイト、ＡＢＳ等のプラスチック製の箱状のケースにより覆われており、その上面は、平板状のキー用ケースｃにより覆われている。  上記キー用ケースｃには、所定のキー用孔が成形されており、該キー用孔から、複数のテンキーのキートップ５a、多機能キーのキートップ５ｂ、および決定キーのキー
トップ５ｃが露出している。
【００２６】
携帯電話機１の蓋体３は、蓋体３を開いた状態の図１(ａ)に示すように、その内側に液晶表示部(表示部)３ａ1が配設されており、ポリカーボネイト、ＡＢＳ等のプラスチック
製の内ケースｋ1により覆われている。  また、蓋体３を閉じた状態の図１(ｂ)に示すよ
うに、その外側に副液晶表示部(副表示部)３ａ2が配設されており、同様なプラスチック
製の外ケースｋ2および外ケースｋ3により覆われている。
【００２７】
上記外ケースｋ3には、所定のキー用孔ｋ3hが成形されており、該キー用孔ｋ3hから、
コンソールキー６のキートップ６aが露出している。
【００２８】
携帯電話機１は、その本体２内に音楽を記録するためのハードディスクが搭載され音楽の聴取が可能であり、コンソールキー６は、シーソーキーとして、その操作のために用いられている。  このコンソールキー６のキートップ６aには、音楽を聴取する際の再生、
停止、早送り、巻き戻し等の記号が表示され、各記号箇所を上方から押圧することにより各操作が行なわれる。
【００２９】
このコンソールキー６のキートップ６aは、照光用の光を拡散するために、例えば透光
性を有する乳白色のポリカーボネイト等のプラスチックで成形されている。
【００３０】
コンソールキー６のキートップ上面６a1には、メタリック感を出すためのパールを混ぜた白色の塗装がなされ、この塗装面上に操作用の再生、停止、早送り、巻き戻し等の記号が青色のインクで印刷され、これらの塗装、印刷面をコーティングで覆い保護している。
【００３１】
図２は、図１(ｂ)に示す携帯電話機１の蓋体３において外ケースｋ3を外した状態のコ
ンソールキー６のキートップ下面６ａ2の印刷を上方から透視して示すキートップ６ａ近
傍域の上面図である。
【００３２】
図３は、図２のＣ−Ｃ線断面図であり、図４は、図３のＤ部拡大図である。
【００３３】
図３、図４に示すように、コンソールキー６のキートップ６aは、光透過性のシリコン
ゴムで成形されるゴムベース７に接着、融着等により接合されている。
【００３４】
ゴムベース７には、コンソールキー６のキートップ上面６ａ1の再生、停止、早送り、
巻き戻しの各記号箇所が押下された場合に、各記号に対応したクリックドーム８(後述)を押下し反転動作させるための押し子７ａが成形されている。
【００３５】
このゴムベース７に隣接して、コンソールキー６のスィッチ用配線パターンが印刷されたキー基板９が配設されており、キー基板９には、ゴムベース７の各押し子７ａに対向して、スィッチ用配線パターンの接点間を導通させるためのクリックドーム８が、再生、停止、早送り、巻き戻しの各記号に対応して貼り付けられている。
【００３６】
クリックドーム８は、板厚の薄い例えばステンレス鋼板等の金属製でありドーム状の形状を呈しており、コンソールキー６のキートップ６ａが押下された際に、ゴムベース７の押し子７ａによって押下され反転動作し、それぞれ各記号に対応したスィッチ用配線パターンの接点間を導通させる。
【００３７】
また、キー基板９上には、図２に示すように、コンソールキー６のキートップ６ａを裏側から照射するための光源である発光ダイオードＬ1、Ｌ1、Ｌ1、Ｌ1が、キートップ６ａの下方の４箇所に実装されている。
【００３８】
各発光ダイオードＬ1は、キートップ上面６ａ1の横方向に広がる広い領域を照射するため、図３、図４に示すように、照射面Ｌ1aがキートップ６ａ側方を向いて配置される横方向を照射する横照射タイプのものが選択され、図４の矢印β方向に向って光を照射する。
【００３９】
すなわち、発光ダイオードＬ1は、キートップ６ａの下方に配置され、図４に示すよう
に、キートップ上面６ａ1が延在する方向に沿って光を照射する。
【００４０】
そして、この光源である発光ダイオードＬ1、Ｌ1、Ｌ1、Ｌ1が照射する光を拡散するため、キートップ下面６ａ2には、図２に示すように、第１層としてキートップ６ａ下面全
体に亘って白色のシルク印刷６ａsが施されている。
【００４１】
また、キートップ下面６ａ1の印刷第１層に上塗りする印刷第２層として、キートップ
上面６ａ1において発光ダイオードＬ1の照射光によるホットスポット(局所的に光の強い
箇所)が生じることを防止するため、遮光用の灰色のシルク印刷６ａgが施されている。  すなわち、発光ダイオードＬ1の照射面Ｌ1aが光を照射する照射方向に沿う方向であると
ともに照射光に対向して、照射面Ｌ1aの近傍域の照射光が強い領域から遠ざかった領域に亘り、光源近傍域が濃で光源から遠ざかるに従い次第に淡となるグラデーションの遮光用の灰色のシルク印刷６ａgが、各発光ダイオードＬ1に対応してそれぞれ施されている。
【００４２】
このグラデーションの遮光用のシルク印刷６ａgは、シルク印刷のドットのメシュの密
度が、光源近傍域を密に光源から遠ざかるに従い次第に粗となるように印刷されている。
【００４３】
なお、本実施例においては、グラデーションの遮光用のシルク印刷６ａgをキートップ
下面６ａ2に施した場合を例示したが、ゴムベース７に施してもよく、光源の発光ダイオ
ードＬ1とキートップ上面６ａ1(図４参照)間であれば、グラデーションの遮光用のシルク印刷６ａgを施す場所は特に限定されるものではない。
【００４４】
また、本実施例においては、グラデーションの灰色のシルク印刷６ａgを例示して説明
したが、光源の光を遮光してキートップ上面６ａ1を均一な光で光らせることができれば
灰色以外の他の色のインクを用いても良く、また、シルク印刷以外の印刷を用いてもよい。
【００４５】
上記構成によれば、コンソールキー６のキートップ６ａを内側から照光する光源の発光ダイオードＬ1をキートップ上面６ａ1に沿う方向に照射する横照射タイプとしたので、キートップ上面６ａ1の広い領域を照射することが可能である。
【００４６】
また、コンソールキー６のキートップ６ａの下面６ａ2に、各光源の発光ダイオードＬ1の光の照射方向に沿う方向であるとともに照射光に対向して、光源近くを濃として光源から遠ざかるに従い次第に淡となるグラデーションの遮光用の印刷６ａgを施したので、コ
ンソールキーのキートップ上面６ａ1が局所的に強く光ることが防止でき、全領域をほぼ
均一に光らせることができる。
【００４７】
従って、簡単な構成で、広い面積を有するキートップであっても、その上面を均一に光らせることが可能であるという作用効果を奏する。
【産業上の利用可能性】
【００４８】
本発明の活用例として、実施例以外にコードレスホン、ＰＤＡ(Personal  Digital  Assistant)、ＰＨＳ(Personal  Handy-phone  System)、電子手帳、電子辞典等の電子機
器に適用可能であり、小型の電子機器であれば種類に限定されることなく、本発明を有効に活用できる。
【図面の簡単な説明】
【００４９】
【図１】(ａ)および(ｂ)は、本発明の実施例に関わる携帯電話機の蓋体を開いた状態を示す斜視図、および蓋体を閉じた状態の斜視図。
【図２】実施例の携帯電話機の蓋体において外ケースを外した場合のコンソールキーのキートップ下面の印刷等を表したキートップ近傍域を示す上面図。
【図３】図２のＣ−Ｃ線断面図。
【図４】図３のＤ部拡大図。
【図５】従来の携帯電話機を示す斜視図。
【図６】従来の携帯電話機の本体における多機能キー・決定キーのキートップ廻りの内部構造を示す上面図。
【図７】図６のＡ−Ａ線断面図。
【図８】図７のＢ部拡大図。
【符号の説明】
【００５０】
１…携帯電話機(電子機器)、
６…コンソールキー(押し釦スィッチ)、
６ａ…キートップ、
６ａ1…キートップ上面、
６ａg…灰色のシルク印刷(遮光用印刷)、
Ｌ1…発光ダイオード(光源)。
【図１】
2007103084.tif 000003
【図２】
2007103084.tif 000004
【図３】
2007103084.tif 000005
【図４】
2007103084.tif 000006
【図５】
2007103084.tif 000007
【図６】
2007103084.tif 000008
【図７】
2007103084.tif 000009
【図８】
2007103084.tif 000010